(57)【要約】【課題】  テントが大型化しても簡便に設営でき、設営場所の選定にも制約を受け難いテントを提供する。【解決手段】  弾性的に撓み変形することにより膜体４をドーム状に保持可能な弾性フレーム１と、撓み変形前の弾性フレームの設置側端部２どうしが互いに近接移動するように引っ張り操作自在な索条体３とを設けてある。【選択図】        図１
2005171554.tif 000002
【特許請求の範囲】
【請求項１】
弾性的に撓み変形することにより膜体をドーム状に保持可能な弾性フレームと、撓み変形前の前記弾性フレームの設置側端部どうしが互いに近接移動するように引っ張り操作自在な索条体とを設けてあるテント。
【請求項２】
前記弾性フレームの複数を交差するように配置するとともに、前記弾性フレームどうしの交差部における相対移動を規制可能な規制部材を設けてある請求項１記載のテント。
【請求項３】
前記索条体を複数の設置側端部に亘って一連に連係させて、その索条体の引っ張り操作で、前記複数の設置側端部どうしが互いに近接移動するように設けてある請求項１又は２記載のテント。
【請求項４】
前記索条体を、前記膜体の周方向に隣り合う複数の設置側端部に亘って一連の環状に連係させてある請求項３記載のテント。
【請求項５】
前記索条体を、前記膜体を径方向から挟む位置の設置側端部どうしに亘って一連のジグザグ状に連係させてある請求項３記載のテント。
【請求項６】
前記弾性フレームの長さを変更調節自在に設けてある請求項１〜５のいずれか１項記載のテント。
【請求項７】
前記弾性フレームを、複数の分割フレームを着脱自在に連結して構成してある請求項１〜６のいずれか１項記載のテント。
【請求項８】
前記設置側端部どうしの近接移動時に設営面に沿って転動自在な転輪を、前記設置側端部に設けてある請求項１〜８のいずれか１項記載のテント。
【発明の詳細な説明】
【技術分野】
【０００１】
本発明は、設営用のテントに関する。
【背景技術】
【０００２】
従来のテントでは、テント生地などの膜体を設営面に立設した支柱で支える構造のものが知られている（例えば、特許文献１〜３参照）。
【０００３】
【特許文献１】特開平１１−３５０７９８号公報
【特許文献２】特開平０８−１０５２４３号公報
【特許文献３】特開２０００−９０３９０号公報
【発明の開示】
【発明が解決しようとする課題】
【０００４】
上記従来のテントでは、内容積が大きくなるように大型化するほど、多数の大きな支柱で広い膜体を支える必要が生じるので、その設営にあたっては、支柱を立設するためにクレーン車などの重機を使用したり、足場などを設置する必要があり、テントの設営作業に多大な費用と労力を必要とする欠点がある。
また、クレーン車などの重機を使用する場合は、その進入路や作業スペースを確保する必要があるが、設営場所の地盤が軟弱で進入路や作業スペースを確保できないような場合は、設営場所を変更する必要が生じるなど、テントが大型化するほど、設営場所の選定にも制約を受け易い欠点がある。
本発明は上記実情に鑑みてなされたものであって、テントが大型化しても簡便に設営でき、設営場所の選定にも制約を受け難いテントを提供することを目的とする。
【課題を解決するための手段】
【０００５】
本発明によるテントの第１特徴構成は、弾性的に撓み変形することにより膜体をドーム状に保持可能な弾性フレームと、撓み変形前の前記弾性フレームの設置側端部どうしが互いに近接移動するように引っ張り操作自在な索条体とを設けてある点にある。
【０００６】
〔作用及び効果〕
弾性的に撓み変形することにより膜体をドーム状に保持可能な弾性フレームと、撓み変形前の弾性フレームの設置側端部どうしが互いに近接移動するように引っ張り操作自在な索条体とを設けてあるので、設営場所に搬入した撓み変形前の弾性フレームを設営面に載置し、索条体の引っ張り操作により、その弾性フレームの設置側端部どうしを互いに近接移動させて、弾性フレームを上方に競り上がるように弾性的に撓み変形させ、その撓み変形させた弾性フレームで膜体をドーム状に保持することができる。
従って、テントが大型化しても、クレーン車などの重機を特に使用することなく簡便に設営できるとともに、重機の進入路や作業スペースを確保する必要も特にないので、設営場所の選定にも制約を受け難い。
【０００７】
本発明によるテントの第２特徴構成は、前記弾性フレームの複数を交差するように配置するとともに、前記弾性フレームどうしの交差部における相対移動を規制可能な規制部材を設けてある点にある。
【０００８】
〔作用及び効果〕
弾性フレームの複数を交差するように配置するとともに、弾性フレームどうしの交差部における相対移動を規制可能な規制部材を設けてあるので、索条体の引っ張り操作により、交差するように配置してある複数の弾性フレームの設置側端部どうしを互いに近接移動させて、それらの弾性フレームを、弾性フレームどうしの交差部における相対移動を規制部材で規制しながら、上方に競り上がるように弾性的に撓み変形させることができる。
従って、弾性フレームどうしの交差部における互いの干渉によって、各弾性フレームの撓み形状を所定の形状になるように規制することができるとともに、膜体をそれらの弾性フレームでドーム状の形状に安定的に保持することができる。
【０００９】
本発明によるテントの第３特徴構成は、前記索条体を複数の設置側端部に亘って一連に連係させて、その索条体の引っ張り操作で、前記複数の設置側端部どうしが互いに近接移動するように設けてある点にある。
【００１０】
〔作用及び効果〕
索条体を複数の設置側端部に亘って一連に連係させて、その索条体の引っ張り操作で、複数の設置側端部どうしが互いに近接移動するように設けてあるので、複数の設置側端部に亘って一連に連係させた索条体の引っ張り操作で、複数の設置側端部どうしを互いに近接移動させて、弾性フレームを上方に競り上がるように弾性的に撓み変形させることができる。
従って、例えば、複数の設置側端部毎に、設置側端部どうしが互いに近接移動するように引っ張り操作自在な索条体を各別に設けてある場合に比べて、弾性フレームを撓み変形させる作業を簡略化することができる。
【００１１】
本発明によるテントの第４特徴構成は、前記索条体を、前記膜体の周方向に隣り合う複数の設置側端部に亘って一連の環状に連係させてある点にある。
【００１２】
〔作用及び効果〕
索条体を、膜体の周方向に隣り合う複数の設置側端部に亘って一連の環状に連係させてあるので、索条体を絡み難い単純な配置で、複数の設置側端部に亘って一連に連係させることができ、索条体の引っ張り操作を容易に行える。
【００１３】
本発明によるテントの第５特徴構成は、前記索条体を、前記膜体を径方向から挟む位置の設置側端部どうしに亘って一連のジグザグ状に連係させてある点にある。
【００１４】
〔作用及び効果〕
索条体を、膜体を径方向から挟む位置の設置側端部どうしに亘って一連のジグザグ状に連係させてあるので、索条体を膜体の径方向に沿って引っ張る引っ張り操作で、複数の設置側端部どうしが互いに近接移動するように引き寄せることができ、弾性フレームを上方に競り上がるように弾性的に撓み変形させ易い。
【００１５】
本発明によるテントの第６特徴構成は、前記弾性フレームの長さを変更調節自在に設けてある点にある。
【００１６】
〔作用及び効果〕
弾性フレームの長さを変更調節自在に設けてあるので、弾性フレームの長さを変更調節することにより、内容積や形状の異なるテントを容易に設置できる。
【００１７】
本発明によるテントの第７特徴構成は、前記弾性フレームを、複数の分割フレームを着脱自在に連結して構成してある点にある。
【００１８】
〔作用及び効果〕
弾性フレームを、複数の分割フレームを着脱自在に連結して構成してあるので、テントを設営するときには、複数の分割フレームを連結して弾性フレームを構成し、テントを撤去したときには、弾性フレームを複数の分割フレームに分離して、弾性フレームの運搬や保管の際の取り扱いを容易にすることができる。
【００１９】
本発明によるテントの第８特徴構成は、前記設置側端部どうしの近接移動時に設営面に沿って転動自在な転輪を、前記設置側端部に設けてある点にある。
【００２０】
〔作用及び効果〕
設置側端部どうしの近接移動時に設営面に沿って転動自在な転輪を、設置側端部に設けてあるので、設置側端部を近接移動させる時の移動抵抗が少なくなり、弾性フレームを容易に撓み変形させることができる。
【発明を実施するための最良の形態】
【００２１】
以下に本発明の実施の形態を図面に基づいて説明する。
〔第１実施形態〕
図１〜図３は、興行などに使用する本発明によるテントを示し、図１に示すように、弾性的に撓み変形可能な複数（本実施形態では４本）の弾性フレーム１と、撓み変形前の各弾性フレーム１の設置側端部２どうしが互いに近接移動するように引っ張り操作自在なワイヤー（索条体）３とを設けて、ワイヤー３の引っ張り操作で、各弾性フレーム１を上方に向けて競り上がるように弾性的に撓み変形させて、図２，図３に示すように、膜体４を平面視で略円形の扁平ドーム状に保持可能に設けてある。
【００２２】
前記弾性フレーム１の各々は、曲げ剛性が大きい長尺の円筒部材５の両端夫々に、曲げ剛性が小さい中実円柱状の一連の軸部材６を抜き差し自在に内嵌して構成してあり、各円筒部材５の中央部を、各円筒部材５に共通の連結部材（規制部材）７で一体に固定して、弾性フレーム１どうしが放射状に交差するように配置するとともに、交差部における相対移動が規制されているテントフレーム８を構成し、そのテントフレーム８に膜体４を同芯状に被せてある。
【００２３】
また、各軸部材６の円筒部材５からの突出長さを調節して、図４，図５に示すように、円筒部材５に螺着してあるロック用ねじ９で軸部材６を押圧固定することにより、各弾性フレーム１の長さを変更調節自在に設けるとともに、各弾性フレーム１の設置側端部である軸部材端部２に、軸部材端部２どうしの近接移動時に設営面Ａに沿って転動自在な遊転輪１０を設け、膜体４の外周部をスプリング１１を介して各軸部材６に固定してある。
【００２４】
前記遊転輪１０は、軸部材端部２を上下揺動自在に連結してあるベース板１２（１２ａ，１２ｂ）の軸部材長手方向二箇所に、軸部材長手方向に直交する水平軸Ｘ周りで回転自在に支持してあり、図４に示すように、ワイヤー３の端部を固定するために設けてある一つのワイヤ固定用ベース板１２ａには、ワイヤー３の一端部をシャックル１３などで固定自在な固定部１４と、ワイヤー３の他端部を挿通して締め付け固定自在なチャック１５とを設け、図５に示すように、残りのベース板１２ｂの下面側には、ワイヤー３を巻き掛ける滑車１６を、遊転輪１０の回転軸Ｘに直交する縦軸Ｙ周りで回転自在に支持してある。
【００２５】
前記ワイヤー３は、図１，図４，図５に示すように、その一端部をワイヤ固定用ベース板１２ａに固定した状態で、残りの滑車付きベース板１２ｂの各滑車１６に膜体４の周方向に隣り合う順に巻き掛けて、膜体４の周方向に隣り合う軸部材端部２の全部に亘って一連の環状に連係させるとともに、隣り合う軸部材６間に位置するワイヤー部分を、隣り合う軸部材端部２間の間隔を規制するための筒状スペーサー１７に挿通し、ワイヤー３の他端部はワイヤー固定用ベース板１２ａのチャック１５に挿通してある。
【００２６】
そして、図１に示すように、弾性フレーム１を撓み変形させない自然状態で、膜体４を被せてあるテントフレーム８を設営場所に載置し、チャック１５に挿通してあるワイヤー３の他端部を巻き取り機の巻き取りドラム１８に固定して、チャック１５によるワイヤー３の固定を解除した状態で、巻き取りドラム１８を手動で、或いは、モータなどで回転させることによりワイヤー３を巻き取って引っ張る引っ張り操作で、ワイヤー３の長さを絞ることにより、図６，図７に示すように、軸部材端部（設置側端部）２どうしを互いに近接移動させて、各弾性フレーム１を上方に競り上がるように弾性的に撓み変形させたあと、チャック１５でワイヤー３の他端部を締め付け固定して、図２，図３に示すように、その撓み変形させた弾性フレーム１で膜体４をドーム状に保持することができるように構成してある。
【００２７】
〔第２実施形態〕
図８は、本発明によるテントの別実施形態を示し、各弾性フレーム１を構成している軸部材６を、複数の分割フレームを構成する筒軸部材６ａと筒軸部材６ａの端部どうしの間に挟み込む球形ジョイント６ｂ、及び、各筒軸部材６ａと球形ジョイント６ｂとに亘って一連に挿通してあるフレーム用ワイヤー６ｃとで構成し、フレーム用ワイヤー６ｃの一端側を上端筒軸部材１９の端部に固定するとともに、フレーム用ワイヤー６ｃの他端側を下端筒軸部材２０の端部に設けたワイヤー固定用のチャック２１に挿通してある。
【００２８】
そして、円筒部材５に抜き差し自在に内嵌した上端筒軸部材１９の円筒部材５からの突出長さを調節して、円筒部材５に螺着してあるロック用ねじ９で上端筒軸部材１９を押圧固定することにより、各弾性フレーム１の長さを変更調節自在に設けるとともに、フレーム用ワイヤー６ｃを引っ張ってチャック２１で締め付け固定することにより、図８（イ）に示すように、筒軸部材６ａどうしを球形ジョイント６ｂを挟んで着脱自在に連結して、弾性的に撓み変形可能な直線状の弾性フレーム１を組み立て、図８（ロ）に示すように、ワイヤー３の引っ張り操作で、ワイヤー３の長さを絞ることにより、軸部材端部（設置側端部）２どうしを互いに近接移動させて、フレーム用ワイヤー６ｃの張力に抗して、各弾性フレーム１を上方に競り上がるように弾性的に撓み変形させることができるように構成し、また、図８（イ）に示した状態から膜体４を外して上端筒軸部材１９を円筒部材５から引き抜くとともに、フレーム用ワイヤー６ｃの締め付け固定を解除することにより、フレーム用ワイヤー６ｃを緩めて、図８（ハ）に示すように、各筒軸部材６ａ単位でコンパクトに折り畳めるように構成してある。
その他の構成は第１実施形態と同様である。
【００２９】
〔第３実施形態〕
図９は、本発明によるテントの別実施形態を示し、各弾性フレーム１を全長に亘って、第２実施形態で示した、複数の分割フレームを構成する筒軸部材６ａと筒軸部材６ａの端部どうしの間に挟み込む球形ジョイント６ｂ、及び、各筒軸部材６ａと球形ジョイント６ｂとに亘って挿通してある二本のフレーム用ワイヤー６ｃとで構成するとともに、中央部の筒軸部材２２を、各弾性フレーム１に共通の連結部材（規制部材）７で一体に固定して、各フレーム用ワイヤー６ｃの一端側を連結部材７に固定し、各フレーム用ワイヤー６ｃの他端側を端部筒軸部材２２に設けたワイヤー固定用のチャック２１に挿通して、端部筒軸部材２３をベース板１２（１２ａ，１２ｂ）に上下揺動自在に連結してある。
【００３０】
そして、各フレーム用ワイヤー６ｃを引っ張ってチャック２１で締め付け固定することにより、図９（イ）に示すように、筒軸部材６ａどうしを球形ジョイント６ｂを挟んで着脱自在に連結して、弾性的に撓み変形可能な直線状の弾性フレーム１の複数を放射状に交差するように配置してあるテントフレーム８を構成し、ワイヤー３の引っ張り操作で、ワイヤー３の長さを絞ることにより、軸部材端部（設置側端部）２どうしを互いに近接移動させて、図９（ロ）に示すように、フレーム用ワイヤー６ｃの張力に抗して各弾性フレーム１を上方に競り上がるように弾性的に撓み変形させ、図１０に示すように、その撓み変形させた弾性フレーム１で膜体４をドーム状に保持できるように構成し、また、図９（イ）に示した状態から膜体４を外すとともに、フレーム用ワイヤー６ｃの締め付け固定を解除することにより、フレーム用ワイヤー６ｃを緩めて、図１１に示すように、弾性フレーム１を筒軸部材６ａ単位でコンパクトに折り畳めるように構成してある。
その他の構成は第１実施形態と同様である。
【００３１】
〔第４実施形態〕
図１２は、本発明によるテントの別実施形態を示し、第１実施形態で示した弾性フレーム１を、撓み変形させない自然状態で、円筒部材５どうしが十字状に交差するように配置するとともに、それらの交差部を連結部材７で一体に固定して、テントフレーム８を構成してある。
その他の構成は第１実施形態と同様である。
【００３２】
〔第５実施形態〕
図１３は、本発明によるテントの別実施形態を示し、第１実施形態で示した弾性フレーム１を、撓み変形させない自然状態で平面視で三角形に交差するように配置するとともに、それらの交差部を連結部材７で一体に固定して、テントフレーム８を構成し、膜体４を平面視で略三角形の扁平ドーム状に保持可能に設けてある。
その他の構成は第１実施形態と同様である。
【００３３】
〔第６実施形態〕
図１４は、本発明によるテントの別実施形態を示し、図１４（イ）に示すように、第１実施形態で示した弾性フレーム１を、撓み変形させない自然状態で平面視で井桁に交差するように配置するとともに、それらの交差部を連結部材７で一体に固定して、テントフレーム８を構成し、図１４（ロ）に示すように、膜体４を平面視で略矩形の扁平ドーム状に保持可能に設けてある。
その他の構成は第１実施形態と同様である。
【００３４】
〔第７実施形態〕
図１５は、本発明によるテントの別実施形態を示し、第１実施形態で示したテントフレーム８の周方向で隣り合う２つの軸部材端部２に、ワイヤ固定用ベース板１２ａを上下揺動自在に連結するとともに、残りの軸部材端部２には、第１実施形態で示した滑車付きベース板１２ｂを上下揺動自在に連結してある。
【００３５】
そして、ワイヤー３を、その一端部を一方のワイヤ固定用ベース板２４に固定した状態で、滑車付きベース板１２ｂに支持してある各滑車１６に星形に巻き掛けて、膜体４を径方向から挟む位置の軸部材端部２どうしに亘って一連のジグザグ状に連係させるとともに、他方のワイヤ固定用ベース板２５のチャック１５に挿通しておき、巻き取りドラム１８を回転させることによりワイヤー３を巻き取って引っ張る引っ張り操作で、ワイヤー３の長さを絞ることにより、軸部材端部２どうしを互いに近接移動させて、各弾性フレーム１を上方に競り上がるように弾性的に撓み変形させることができるように構成してある。
尚、筒状スペーサー１７を設けていない点で異なるが、その他の構成は第１実施形態と同様である。
【００３６】
〔その他の実施形態〕
１．本発明によるテントは、厚み方向に弾性的に撓み変形可能な板状或いは矩形枠状の幅広の弾性フレームを使用して、その幅広の弾性フレームの一つを厚み方向に弾性的に撓み変形させて、膜体を一つの弾性フレームでドーム状に保持可能に設けてあっても良い。
２．本発明によるテントは、その複数を組み合わせてより広い空間を一連に形成できるように構成してあっても良い。
３．本発明によるテントは、一連の弾性フレームを全長に亘って弾性的に撓み変形させて、膜体をドーム状に保持可能に設けてあっても良い。
４．本発明によるテントは、弾性フレームの設置側端部を複数ずつにグループ分けして、それらのグループ毎に、索条体を複数の設置側端部に亘って一連に連係させて、それらの複数の索条体の引っ張り操作で、設置側端部どうしが互いに近接移動するように設けてあっても良い。
５．本発明によるテントは、複数の弾性フレームの一端側どうしを放射状に連結して、それらの他端側を設置側端部に構成してあっても良い。
６．本発明によるテントは、弾性フレームどうしをそれらの交差部で結束して、交差部における相対移動を規制可能な規制部材を設けてあっても良い。
７．本発明によるテントは、膜体を複数の膜体部分に分割して、それらの膜体部分を一連の膜体になるように結合自在に設けてあっても良い。
８．本発明によるテントは、設置側端部どうしが互いに近接移動するように索条体を引っ張り操作するに伴って、弾性フレームが上方に競り上がるように弾性的に撓み変形し易くなるように、設営面に載置した状態で上下方向の曲げ剛性が水平方向の曲げ剛性よりも小さい材質や横断面形状が横長の弾性フレームを設けてあっても良い。
【図面の簡単な説明】
【００３７】
【図１】設営前のテントの平面図
【図２】設営状態のテントの平面図
【図３】設営状態のテントの側面図
【図４】（イ）要部の平面図，（ロ）要部の側面図
【図５】（イ）要部の平面図，（ロ）要部の側面図
【図６】設営方法を示す一部省略斜視図
【図７】設営方法を示す要部の側面図
【図８】第２実施形態を示す要部の側面図
【図９】第３実施形態を示す要部の側面図
【図１０】第３実施形態を示す一部省略斜視図
【図１１】第３実施形態を示す一部省略斜視図
【図１２】第４実施形態を示す一部省略斜視図
【図１３】第５実施形態を示す一部省略斜視図
【図１４】第６実施形態を示す一部省略斜視図
【図１５】第７実施形態を示す一部省平面図図
【符号の説明】
【００３８】
１    弾性フレーム
２    設置側端部
３    索条体
４    膜体
６ａ  分割フレーム
６ｂ  分割フレーム
７    規制部材
【図１】
2005171554.tif 000003
【図２】
2005171554.tif 000004
【図３】
2005171554.tif 000005
【図４】
2005171554.tif 000006
【図５】
2005171554.tif 000007
【図６】
2005171554.tif 000008
【図７】
2005171554.tif 000009
【図８】
2005171554.tif 000010
【図９】
2005171554.tif 000011
【図１０】
2005171554.tif 000012
【図１１】
2005171554.tif 000013
【図１２】
2005171554.tif 000014
【図１３】
2005171554.tif 000015
【図１４】
2005171554.tif 000016
【図１５】
2005171554.tif 000017